(57)【要約】【課題】フロアパネルの段差部の強度を向上させることができ、その上方から大きな荷重が加えられてもその段差部が変形するのを防止することができるフロアパネル及びその製造方法を提供する。【解決手段】上板部材４４と下板部材４６により形成された空間４８の内部に補強部材５０を内包するフロアパネル４０において、前記上板部材４４は、前記補強部材５０と同時にプレス加工されて形成された段差部４４ａ，４４ｅを有する。【選択図】図１
2014227649.tif 000002
【特許請求の範囲】
【請求項１】
上板部材と下板部材により形成された空間の内部に補強部材を内包するフロアパネルにおいて、
前記上板部材は、前記補強部材と同時にプレス加工されて形成された段差部を有する
ことを特徴とするフロアパネル。
【請求項２】
前記補強部材は、前記上板部材の段差部の内側面に沿うような形状の段差部を有することを特徴とする請求項１に記載のフロアパネル。
【請求項３】
前記上板部材の段差部は、前記フロアパネルの四隅部に形成されたことを特徴とする請求項１又は２に記載のフロアパネル。
【請求項４】
前記上板部材の段差部は、前記フロアパネルの側辺部に形成されたコの字状の開口部の周縁部に形成されたことを特徴とする請求項１又は２に記載のフロアパネル。
【請求項５】
上板部材と下板部材により形成された空間の内部に補強部材を内包するフロアパネルの製造方法において、
前記上板部材と前記補強部材を同時にプレス加工して前記上板部材に段差部を形成した
ことを特徴とするフロアパネルの製造方法。
【発明の詳細な説明】
【技術分野】
【０００１】
本発明は、フリーアクセスフロア構造に用いられるフロアパネル及びその製造方法に関するものである。
【背景技術】
【０００２】
本発明のフロアパネルは、フリーアクセスフロア構造に用いられるものである。フロアパネルは、フリーアクセスフロア構造において、建築構造物の一部を構成するコンクリート材等により形成された基礎床面の上方に、空間を隔てて設けられるものである（例えば、特許文献１，２参照）。
【０００３】
図１１から図１６は、従来のフロアパネル２及びその製造方法について説明するために参照する図である。従来のフロアパネル２は、図１１に示すように、基礎床面３上に立設する支持脚４と共にフリーアクセスフロア構造１を構成するようになっていた。
【０００４】
フロアパネル２は、図１２に示すように、板状の天板６と、箱状の底板８と、これらの間に配置された補強部材１２により構成されていた。ここで、天板６と底板８は共に鋼板材を用いて形成されていた。
【０００５】
フロアパネル２の天板６は、図１３に示すように、略正方形の板状に形成され、その四隅部それぞれには、その平面形状が四半円弧状のテーパ部６ｂと、同様に四半円弧状の段差部６ａが形成されていた。
【０００６】
すなわち、天板６の四隅部には、図１２に示すように、図中左下方向に傾斜するテーパ部６ｂと、このテーパ部６ｂの下端部から上面６ｃと平行に伸びて、上面６ｃより高さが低い段差面を有する段差部６ａが形成されていた。
【０００７】
フロアパネル２の底板８は、図１２の右下部に示すように、その底板部８ａの周縁部より略鉛直方向に折り曲げられた側板部８ｂと、この側板部８ｂの上端部から図中水平方向外側に折り曲げられた周縁部８ｃが形成されていた。このため、底板８は、その深さ方向に、かつ側板部８ｂの水平方向内側に内部空間を有する箱状に形成されていた。
【０００８】
図１２及び図１４に示すように、底板８の周縁部８ｃは、天板６の周縁部６ｄに当接し、周縁部６ｄに溶接やカシメ等により接合されていた。このため、フロアパネル２は、天板６と、底板８の底板部８ａと、側板部８ｂに囲まれた内部空間１０を有する中空状に形成されていた。
【０００９】
図１３に示すように、フロアパネル２は、その略正方形の一辺となっている側辺部に、内側に略矩形状に入り込むような開口部２ａが形成されていた。
【００１０】
そして、図１５に示すように、フロアパネル２の開口部２ａを構成する略コの字状の３つの側辺部には、天板６の上面６ｃから斜め下方に伸びるテーパ部６ｆと、そのテーパ部６ｆの下端部から水平方向かつ略コの字状の開口部２ａの中央側に突出するように伸びて、上面６ｃとの間に段差を有する段差部６ｅが形成されていた。
【００１１】
この天板６の段差部６ｅの上面には、天板６の上面６ｃより高さが一段下がった位置に、水平の段差面６ｈが形成されていた。この天板６の段差面６ｈ上に、図１１に示すような、板状の蓋部材１８の下面を接触させて、フロアパネル２の開口部２ａを閉塞することができるようになっていた。
【００１２】
図１２及び図１４に示すように、フロアパネル２の内部空間１０には、板状の補強部材１２が、天板６と、底板８の底板部８ａの間に挟まれて設置されていた。この補強部材１２には、木材を小さな木片に砕いて乾燥させ、接着剤を加えて高温高圧の下で成形したパーティクルボードが用いられていた。
【００１３】
図１３に示すように、補強部材１２は、その四隅部に隅面１２ａが形成された略正方形に形成されており、その図中下側の側辺部に、略矩形状に入り込むよう切り欠かれた切欠き部１２ｂが形成されていた。補強部材１２は、プレス装置で切断されることによりその外形形状が形成されるが、切断された部分はその形が崩れてしまうので、その平面方向の寸法精度は低いものであった。
【００１４】
図１２から図１４に示すように、補強部材１２は、フロアパネル２の内部空間１０内の水平方向中央部に設置されていた。すなわち、補強部材１２は、その隅面１２ａと底板８の側板部８ｂの隅部内側面との間に、大きな隙間Ｓ（図１４参照）が形成されていた。また、補強部材１２は、その四辺と切欠き部１２ｂのそれぞれの側辺部と、底板８の側板部８ｂの内側面との間にも大きな隙間Ｓが形成されていた。
【００１５】
これらの隙間Ｓは、底板８がプレス加工により内部空間を有する箱状に形成された後に、その内部空間内に補強部材１２が設置されるので、その設置の際に底板８や補強部材１２の個々の寸法のばらつきや、加工による組み合わせ寸法の誤差等により、その設置が阻害されないように設けられていた。
【００１６】
このようなフロアパネル２を支持する支持脚４は、図１１及び図１６に示すように、パネル調整台１４と、脚部１６により構成されていた。
【００１７】
支持脚４のパネル調整台１４は、図１６に示すように、その軸線部下端側に形成されたネジ孔１４ｂに、脚部１６の外周部に形成されたオネジ部１６ａをネジ結合した状態で、パネル調整台１４を相対回転させることにより、パネル調整台１４の基礎床面３からの高さ位置を調整するようになっていた。
【００１８】
そして、パネル調整台１４の下端部に形成された、軸線がパネル調整台１４の半径方向に伸びるネジ孔１４ｃに、ネジ部材１５を締め付けることにより、パネル調整台１４は基礎床面３から所望の高さ位置に固定されるようになっていた。
【００１９】
パネル調整台１４は、その上端部に軸線方向に凹んで形成された先端凹部１４ａ上に、複数のフロアパネル２の、天板６の四隅部のいずれか１つの段差部６ａがそれぞれ載置され、皿ボルト１７等を用いて固定されていた。
【００２０】
すなわち、皿ボルト１７のオネジ部１７ｂを、パネル調整台１４の軸線部上端側のネジ孔１４ｄに締め付けることにより、フロアパネル２の段差部６ａが皿ボルト１７の皿頭部１７ａにより下方に押え付けられて固定されていた。
【００２１】
そして、複数のフロアパネル２は、それぞれの四隅部の段差部６ａの１つを１箇所に寄せ集めて突き合わせるように配置され、１つの同じパネル調整台１４の先端凹部１４ａに共に固定されていた。
【００２２】
このため、図１１に示すように、フロアパネル２は、複数のパネルそれぞれの四隅部の１つずつが１箇所に寄せ集めて突き合わされて、基礎床面３から上方に空間を隔てた水平面上に、上から見て縦横二軸両方向に互いに隣接して配置されており、基礎床面３上に立設された支持脚４に着脱可能に支持されていた。
【００２３】
このような従来のフロアパネル２によれば、その内部空間１０内に設置された補強部材１２によりその強度を向上させることができるようになっていた。
【先行技術文献】
【特許文献】
【００２４】
【特許文献１】特開２００９−１４４３７８号公報
【特許文献２】特開２００３−４１７５３号公報
【発明の概要】
【発明が解決しようとする課題】
【００２５】
しかしながら、この従来のフロアパネル２においては、パネル調整台１４の先端凹部１４ａ上に支持されるフロアパネル２の天板６の段差部６ａや、フロアパネル２の開口部２ａに設けられた段差部６ｅが、単に水平方向に伸びる板状に形成されていたので、天板６の段差部６ａ，６ｅの強度が十分でなく、その上方から大きな荷重が加えられた際には、その段差部６ａ，６ｅが変形するおそれがあるという問題があった。
【００２６】
また、フロアパネル２の天板６の段差部６ｅの強度が不十分であると、その上に載置される蓋部材１８にその上方から大きな荷重が加えられた際には、天板６の段差部６ｅがその大きな荷重を十分に支えることができないために、段差部６ｅの他に蓋部材１８が変形するおそれがあるという問題もあった。
【００２７】
そこで本発明は、上記問題点に鑑みて、フロアパネルの段差部の強度を向上させることができ、その上方から大きな荷重が加えられてもその段差部が変形するのを防止することができるフロアパネル及びその製造方法を提供することを課題とするものである。
【課題を解決するための手段】
【００２８】
上記課題を解決するために、本発明によるフロアパネルは、
上板部材と下板部材により形成された空間の内部に補強部材を内包するフロアパネルにおいて、
前記上板部材は、前記補強部材と同時にプレス加工されて形成された段差部を有することを特徴とするものである。
【００２９】
また、本発明によるフロアパネルは、
前記補強部材は、前記上板部材の段差部の内側面に沿うような形状の段差部を有することを特徴とするものである。
【００３０】
また、本発明によるフロアパネルは、
前記上板部材の段差部は、前記フロアパネルの四隅部に形成されたことを特徴とするものである。
【００３１】
また、本発明によるフロアパネルは、
前記上板部材の段差部は、前記フロアパネルの側辺部に形成されたコの字状の開口部の周縁部に形成されたことを特徴とするものである。
【００３２】
また、上記課題を解決するために、本発明によるフロアパネルの製造方法は、
上板部材と下板部材により形成された空間の内部に補強部材を内包するフロアパネルの製造方法において、
前記上板部材と前記補強部材を同時にプレス加工して前記上板部材に段差部を形成したことを特徴とするものである。
【発明の効果】
【００３３】
このような本発明のフロアパネルによれば、
上板部材と下板部材により形成された空間の内部に補強部材を内包するフロアパネルにおいて、
前記上板部材は、前記補強部材と同時にプレス加工されて形成された段差部を有することにより、
フロアパネルの段差部の強度を向上させることができ、その上方から大きな荷重が加えられてもその段差部が変形するのを防止することができる。
【００３４】
また、本発明のフロアパネルの製造方法によれば、
上板部材と下板部材により形成された空間の内部に補強部材を内包するフロアパネルの製造方法において、
前記上板部材と前記補強部材を同時にプレス加工して前記上板部材に段差部を形成したことにより、
フロアパネルの段差部の強度を向上させることができ、その上方から大きな荷重が加えられてもその段差部が変形するのを防止することができる。
【図面の簡単な説明】
【００３５】
【図１】本発明の第１の実施の形態に係るフロアパネル４０を示す図であって、図３におけるフロアパネル４０のＡ−Ａ線矢視断面図である。
【図２】図１におけるフロアパネル４０の一部断面側面図である。
【図３】図２におけるフロアパネル４０の上面図である。
【図４】図１におけるフロアパネル４０の天板４４の周縁部４４ｄと底板４６の周縁部４６ｄのそれぞれが結合される前の水平方向に伸びた状態を示す概略部分断面図である。
【図５】図１におけるフロアパネル４０の天板４４の段差部４４ａとテーパ部４４ｂが形成される前の状態を示す概略部分断面図である。
【図６】図３に示すフロアパネル４０の開口部４０ａ近傍を拡大して示す部分拡大斜視図である。
【図７】図３におけるフロアパネル４０のＢ−Ｂ線矢視断面図である。
【図８】図１におけるフロアパネル４０と、このフロアパネル４０を支持する支持脚４２により構成されたフリーアクセスフロア構造４１を示す部分側面図である。
【図９】本発明の第２の実施の形態に係るフロアパネル６０を示す図であって、図３におけるフロアパネル４０のＡ−Ａ線矢視断面に相当する部分断面図である。
【図１０】図９におけるフロアパネル６０の天板６２の周縁部６２ｄと底板４６の周縁部４６ｄのそれぞれが結合される前の水平方向に伸びた状態を示す概略部分断面図である。
【図１１】従来のフロアパネル２と、このフロアパネル２を支持する支持脚４により構成された従来のフリーアクセスフロア構造１を示す部分斜視図である。
【図１２】従来のフロアパネル２の一部断面側面図である。
【図１３】図１２におけるフロアパネル２の上面図である。
【図１４】図１３におけるフロアパネル２のＤ−Ｄ線矢視断面図である。
【図１５】図１３におけるフロアパネル２の開口部２ａ近傍を拡大して示す部分拡大斜視図である。
【図１６】図１１におけるフリーアクセスフロア構造１のＣ−Ｃ線矢視断面図である。
【発明を実施するための形態】
【００３６】
以下、本発明に係るフロアパネル及びその製造方法を実施するための形態について、図面に基づいて具体的に説明する。
【００３７】
図１から図８は、本発明の第１の実施の形態に係るフロアパネル４０及びその製造方法について説明するために参照する図である。
【００３８】
本実施の形態に係るフロアパネル４０は、図１に示すように、天板４４（上板部材）と、底板４６（下板部材）と、これらの間に配置された補強部材５０により構成されている。ここで、天板４４と底板４６は共に鋼板材を用いて形成されている。
【００３９】
図２に示すように、フロアパネル４０は、天板４４と底板４６の互いの周縁部４４ｄ，４６ｄ同士が結合されることにより、内部空間４８を有する中空状に形成されている。そして、フロアパネル４０は、その段差部４４ａ，４４ｅと、底板４６の底板部４６ａとの上下間に内部空間４８ａ，４８ｂ（図１，７参照）が形成されており、これらの内部空間４８，４８ａ，４８ｂには補強部材５０が設置されている。
【００４０】
フロアパネル４０の天板４４は、図３に示すように、略正方形の板状に形成されており、その四隅部それぞれには、その平面形状が四半円弧状のテーパ部４４ｂと、同様の四半円弧状の段差部４４ａが形成されている。
【００４１】
すなわち、天板４４の四隅部には、図２に示すように、図中左下方向に傾斜するテーパ部４４ｂと、このテーパ部４４ｂの下端部から上面４４ｃと平行に伸びて、かつ段差を有する段差部４４ａが形成されている。
【００４２】
フロアパネル４０の底板４６は、図４に示すように、その底板部４６ａが天板４４の段差部４４ａの下方の周縁部より、略垂直に折り曲げられた側板部４６ｂが形成されており、この側板部４６ｂの上端部から略垂直に折り曲げられて、図中水平方向外側に向かって伸びる周縁部４６ｄが形成されている。このため、底板４６は、側板部４６ｂの水平方向内側に内部空間を有する箱状に形成されている。
【００４３】
図４に示すように、底板４６の上方の周縁部４６ｄは、天板４４の周縁部４４ｄに重なるように接触した後、図５に示すように、その周縁部４６ｄの先端部が、天板４４の周縁部４４ｄの内側に巻き込まれるように、天板４４の周縁部４４ｄと共に折り畳まれることにより、天板４４と底板４６は一体的に接合されている。
【００４４】
フロアパネル４０は、天板４４の周縁部４４ｄが、底板４６の周縁部４６ｄと共に、フロアパネル４０の四辺にわたって一体的に接合されているため、天板４４と、底板４６の底板部４６ａと、側板部４６ｂにより囲まれた内部空間４８（第１の空間）を有する中空状に形成されている。
【００４５】
そして、図１に示すように、フロアパネル４０の天板４４の段差部４４ａと、その下方の底板４６の底板部４６ａとの上下間の隙間状の空間もまた、内部空間４８の一部分となっている。この内部空間４８の、天板４４の段差部４４ａと、その下方の底板４６の底板部４６ａとの上下間の隙間状の空間を説明の便宜上、第２の内部空間４８ａ（第２の空間）とする。
【００４６】
また、図６に示すように、フロアパネル４０は、その側辺部に略矩形状に入り込むような開口部４０ａが形成されている。そして、図７に示すように、フロアパネル４０の開口部４０ａを構成する略コの字状の３つの側辺部には、天板４４の上面４４ｃから下方に向かう、その断面がテーパ状のテーパ部４４ｆと、そのテーパ部４４ｆの下端部から、開口部４０ａの中央側に、かつ水平方向に伸びるような段差部４４ｅが形成されている。
【００４７】
図７に示すように、この天板４４の段差部４４ｅの上面には、天板４４の上面４４ｄより高さが一段下がった位置に水平の段差面４４ｈが形成されている。この天板４４の段差面４４ｈ上に、図１１に示す蓋部材１８を載置させて、蓋部材１８の下面を接触させることにより、フロアパネル４０の開口部４０ａを閉塞することができる。
【００４８】
図７に示すように、フロアパネル４０の天板４４の段差部４４ｅと、その下方の底板４６の底板部４６ａとの上下間の隙間状の空間もまた、内部空間４８の一部分となっている。この内部空間４８の、天板４４の段差部４４ｅと、その下方の底板４６の底板部４６ａとの上下間の隙間状の空間を説明の便宜上、第２の内部空間４８ｂ（第２の空間）とする。
【００４９】
図２に示すように、フロアパネル４０の内部空間４８内には、所定の厚さを有する板状の補強部材５０が、天板４４と、底板４６の底板部４６ａの間に挟まれて設置されている。
【００５０】
この補強部材５０は、木質材料が用いられて一体的に形成された板状部材である。具体的には補強部材５０には、木材を小さな木片に砕いて乾燥させ、接着剤を加えて高温高圧の下で成形されて一体的に形成された板状のパーティクルボードが用いられている。
【００５１】
図３に示すように、補強部材５０は、その四隅部に隅面５０ａが形成された略正方形の板状に形成されており、同図中下側の側辺部（下辺部）には、略矩形状に入り込むような切欠き部５０ｂが形成されている。
【００５２】
図４に示すように、補強部材５０は、上述したフロアパネル４０の天板４４と底板４６の結合前に、底板４６の側板部４６ｂの水平方向内側に設置される。
【００５３】
そして、補強部材５０の平面形状は、後述する製造方法により、底板４６の側板部４６ｂの内側の水平断面形状に沿うような、その水平断面形状とほぼ同様の形状に形成されている。
【００５４】
このため、フロアパネル４０は、図２に示すように、補強部材５０の側面と、底板４６の側板部４６ｂの内側面との間に隙間が形成されているが、この隙間の水平長さ寸法は、図１２に示す従来のフロアパネル２の、補強部材１２の側面と、底板８の側板部８ｂの内側面との間の隙間の水平長さ寸法に比べて著しく小さな寸法となっている。
【００５５】
また同様に、フロアパネル４０は、図１に示す補強部材５０の隅面５０ａと、底板４６の側板部４６ｂの隅部の内側面との間に隙間が形成されているが、この隙間の水平長さ寸法は、図１４に示す従来のフロアパネル２の、補強部材１２の隅面１２ａと、底板８の側板部８ｂの内側面との間の隙間Ｓの水平長さ寸法に比べて著しく小さくなっている。
【００５６】
同様に、フロアパネル４０の、図３及び図７に示す補強部材５０の切欠き部５０ｂと、底板４６の側板部４６ｂの、コの字状を構成する側辺部の内側面との間に形成された隙間も、従来のフロアパネル２と比べるとその水平長さ寸法が著しく小さくなっている。
【００５７】
図８に示すように、フロアパネル４０は、基礎床面３上に立設する支持脚４２と共にフリーアクセスフロア構造４１を構成するようになっている。そして、フロアパネル４０を支持する支持脚４２は、パネル調整台５６と脚部５８により構成されている。
【００５８】
支持脚４２のパネル調整台５６は、前記従来のフロアパネル２におけるパネル調整台１４と同様に、脚部５８の外周部に形成されたオネジ部５８ａを介して、その基礎床面３からの高さ位置を調整することができ、ネジ部材１５を締め付けることにより、基礎床面３から所望の高さ位置に固定されるようになっている。
【００５９】
パネル調整台５６は、その支持面５６ａ上に、複数のフロアパネル４０の底板４６の、底面４６ｃの四隅部のいずれか１つずつが載置されている。そして、この底面４６ｃの四隅部を介して、フロアパネル４０にその上方から加えられた荷重を、複数の支持脚４２により支持するようになっている。
【００６０】
フロアパネル４０は、皿ボルト１７のオネジ部１７ｂを、パネル調整台５６の軸線部上端側のネジ孔５６ｂに締め付けることにより、その天板４４の四隅部の段差部４４ａが、皿ボルト１７の皿頭部１７ａにより下方に押え付けられて、パネル調整台５６の支持面５６ａ上に固定されている。
【００６１】
そして、複数のフロアパネル４０は、それぞれの段差部４４ａを１箇所に寄せ集めて突き合わせるように配置され、１つの同じパネル調整台５６に共に固定されている。
【００６２】
このため、フロアパネル４０は、図１１に示す従来のフロアパネル２と同様に、複数のパネルそれぞれの四隅部の１つずつが１箇所に寄せ集めて突き合わされて、基礎床面３から上方に空間を隔てた水平面上に、上から見て縦横二軸両方向に互いに隣接して配置されており、基礎床面３上に立設された支持脚４２に着脱可能に支持されるようになっている。
【００６３】
次に、図１から図７に基づいて、フロアパネル４０の製造方法、特にフロアパネル４０の天板４４の段差部４４ａ，４４ｅの形成方法について説明する。
【００６４】
まず、図４に示すように、フロアパネル４０の底板４６は、プレス加工により側板部４６ｂの水平方向内側に内部空間を有する箱状に形成される。
【００６５】
補強部材５０は、底板４６の内部空間内に設置される前に、その上面に上型が上方から適度な力で押し付けられた状態で、その上型の外形形状に沿うような形状をした、金属切断等に用いられるような鋭利な刃が、上型の外側面に接触しながら押し下げられることにより、切断されてその平面形状が形成されている。
【００６６】
このような補強部材５０は、上型が上記適度な力で押し付けられた状態で切断されるため、その切断の際に加えられる力によって、接着剤を介して相互に接着されていた小さな木片が相互に離隔することを防止することができ、その平面方向の寸法精度を高いものとすることができる。
【００６７】
このため、補強部材５０の平面形状は、底板４６の側板部４６ｂの内側の水平断面形状に沿うような、その水平断面形状とほぼ同様の形状に形成することができる。
【００６８】
補強部材５０は、底板４６の内部空間内に設置されて、その上に天板４４が載せられる。ここで、補強部材５０は、その厚さ方向の両端面が天板４４の下面と底板４６の底板部４６ａの上面それぞれとの間に、接着剤を介して接着される。このため、補強部材５０は、天板４４と、底板４６の底板部４６ａの間に挟まれてそれらに固定される。
【００６９】
図５に示すように、補強部材５０の上に天板４４を載せた状態でプレス加工をして、天板４４と底板４６の互いの周縁部４４ｄ，４６ｄ同士が結合されることにより、フロアパネル４０が設けられている。
【００７０】
そして、フロアパネル４０の隅部における天板４４の段差部４４ａ及びテーパ部４４ｂは、周縁部４４ｄ，４６ｄ同士の結合後に、図５に示すように、天板４４の下面と補強部材５０の上端部を接触させた状態で、天板４４と補強部材５０を一緒にプレス加工することによりその形状が形成されているので、図１に示すように、補強部材５０の上端部は、天板４４の段差部４４ａ及びテーパ部４４ｂの内側面に沿うような、それらの内側面と凹凸が入れ替っただけのほぼ同様の形状に形成されている。
【００７１】
すなわち、補強部材５０は、その四隅部のそれぞれに、天板４４の段差部４４ａ及びテーパ部４４ｂの内側面に沿うような、段差部５０ｃとテーパ部５０ｄが形成されている。
【００７２】
このため、フロアパネル４０の隅部における内部空間４８ａには、補強部材５０がその上端部の段差部５０ｃとテーパ部５０ｄを、天板４４の段差部４４ａとテーパ部４４ｂのそれぞれの内側面に接触させ、かつその下端部を底板４６の底板部４６ａに接触させるようにして設置されている。
【００７３】
上記のような、フロアパネル４０の隅部における天板４４の段差部４４ａ及びテーパ部４４ｂと同様に、図３及び図７に示すような、フロアパネル４０の開口部４０ａにおける天板４４の段差部４４ｅ及びテーパ部４４ｆも、周縁部４４ｄ，４６ｄ同士の結合後に、補強部材５０の上端部を接触させた状態でプレス加工することにより形成されているので、補強部材５０の上端部は、天板４４の段差部４４ｅ及びテーパ部４４ｆの内側面に沿うような、それらの内側面と凹凸が入れ替っただけのほぼ同様の形状に形成されている。
【００７４】
すなわち、図７に示すように、補強部材５０は、その切欠き部５０ｂに、天板４４の段差部４４ｅ及びテーパ部４４ｆの内側面に沿うような、段差部５０ｅとテーパ部５０ｆが形成されている。
【００７５】
このため、フロアパネル４０の内部空間４８ｂには、補強部材５０がその上端部の段差部５０ｅとテーパ部５０ｆを、天板４４の段差部４４ｅとテーパ部４４ｆのそれぞれの内側面に接触させ、かつその下端部を底板４６の底板部４６ａに接触させるようにして設置されている。
【００７６】
本実施の形態に係るフロアパネル４０は、図１及び図７に示すように、その天板４４の段差部４４ａ，４４ｅと、それらの下方の底板４６の底板部４６ａとの間に補強部材５０が挟みこまれているため、それらの段差部４４ａ，４４ｅの強度を向上させることができて撓み難くなっており、それらの上方から荷重が加えられた際に、段差部４４ａ，４４ｅが変形することを確実に防止することができる。
【００７７】
また、天板４４の段差部４４ｅの上に載置された蓋部材１８は、その上方から加えられた荷重を、段差部４４ｅにより支持することができるため、蓋部材１８が変形することを確実に防止することもできる。
【００７８】
したがって、以上に説明したように、本実施の形態に係るフロアパネル４０によれば、その段差部４４ａ，４４ｅの強度を向上させることができ、その上方から大きな荷重が加えられてもその段差部４４ａ，４４ｅが変形するのを防止することができる。
【００７９】
図９及び図１０は、本発明の第２の実施の形態に係るフロアパネル６０及びその製造方法について説明するために参照する図である。
【００８０】
本実施の形態に係るフロアパネル６０は、図９に示すように、前記第１の実施の形態における天板４４の代わりに、天板６２（上板部材）を備えるようになっている点において、前記第１の実施の形態に係るフロアパネル４０とは異なるものである。
【００８１】
すなわち、本実施の形態における天板６２は、図１０に示すように、その天板部６２ｅが略垂直に折り曲げられた側板部６２ｆが形成されており、この側板部６２ｆの下端部から略垂直に折り曲げられて、図中水平方向外側に向かって伸びる周縁部６２ｄが形成されている。このため、天板６２は、側板部６２ｆの水平方向内側に内部空間を有する箱状に形成されている。
【００８２】
次に、図９及び図１０に基づいて、フロアパネル６０の製造方法、特にフロアパネル６０の天板６２の段差部６２ａの形成方法について説明する。
【００８３】
図１０に示すように、フロアパネル６０の天板６２と底板４６は、プレス加工により側板部６２ｆ，４６ｂの水平方向内側に内部空間を有する箱状に形成される。
【００８４】
補強部材５０は、箱状に形成された天板６２と底板４６の内部空間４８内に設置される。ここで、補強部材５０は、その厚さ方向の両端面が、天板６２の天板部６２ｅの下面と底板４６の底板部４６ａの上面それぞれとの間に、接着剤を介して接着される。このため、補強部材５０は、天板６２の天板部６２ｅと、底板４６の底板部４６ａの間に挟まれてそれらに固定される。
【００８５】
図９に示すように、天板６２と底板４６の互いの周縁部６２ｄ，４６ｄ同士がプレス加工により結合されることにより、フロアパネル６０が設けられている。
【００８６】
そして、フロアパネル６０の隅部における天板６２の段差部６２ａとテーパ部６２ｂは、周縁部６２ｄ，４６ｄ同士の結合後に、天板６２の天板部６２ｅの下面と補強部材５０の上端部を接触させた状態で、天板６２と補強部材５０を一緒にプレス加工することによりその形状が形成されているので、図９に示すように、補強部材５０の上端部には、天板６２の段差部６２ａ及びテーパ部６２ｂの内側面に沿うような、段差部５０ｃとテーパ部５０ｄが形成されている。
【００８７】
このため、フロアパネル６０の隅部における内部空間４８ａには、補強部材５０がその上端部の段差部５０ｃとテーパ部５０ｄを、天板６２の段差部６２ａとテーパ部６２ｂのそれぞれの内側面に接触させ、かつその下端部を底板４６の底板部４６ａに接触させるようにして設置されている。
【００８８】
このような本実施の形態に係るフロアパネル６０によっても、前記第１の実施の形態に係るフロアパネル４０と同様の効果を得ることができる。
【００８９】
なお、本発明は、前記実施の形態にのみ限定されるものではなく、本発明の目的を達成することができる範囲内であれば、フロアパネル及びその製造方法について種々の変更が可能である。
【００９０】
例えば、前記第１の実施の形態に係るフロアパネル４０は、その内部空間４８，４８ａ，４８ｂ内に一体的に形成されたパーティクルボードを用いた板状の補強部材５０が設置されていたが、それらの内部空間４８，４８ａ，４８ｂ内にはパーティクルボード以外の他の木質材料、又は木質材料以外のコンクリート等の他の材料により形成された補強部材が設置されていてもよい。
【００９１】
また、コンクリート等の他の材料により形成された補強部材を用いる場合には、一体的に形成された板状部材でなくてもよいし、前記第１の実施の形態に係るフロアパネル４０を天板４４と底板４６により形成した後、かつ段差部４４ａ，４４ｅの形成前に、その内部空間内に補強部材を充填するようになっていてもよい。
【００９２】
また、前記第１の実施の形態に係るフロアパネル４０においては、天板４４の外周部の段差部４４ａ，４４ｅの下方に内部空間４８ａ，４８ｂを形成して、これらの内部空間４８ａ，４８ｂに補強部材５０を設置するようになっていたが、天板４４の外周部の段差部４４ａ，４４ｅ以外の段差部、又は外周部の段差部以外の段差に本発明を適用してもよい。
【００９３】
また、前記第１の実施の形態に係るフロアパネル４０においては、天板４４の上面４４ｃを有する板部と段差部４４ａ，４４ｅの間に、段差部４４ａ，４４ｅに向かって傾斜するテーパ部４４ｂ，４４ｆが形成されていたが、これらのテーパ部４４ｂ，４４ｆは形成されていなくてもよい。すなわち、テーパ部４４ｂ，４４ｆの代わりに、天板４４の上面４４ｃを有する板部と段差部４４ａ，４４ｅとを繋ぐ垂直方向に伸びる板部が形成されていてもよい。
【００９４】
また、前記第１の実施の形態に係るフロアパネル４０においては、補強部材５０の側面と、底板４６の側板部４６ｂの内側面との間、補強部材５０の隅面５０ａと、底板４６の側板部４６ｂの内側面との間、及び補強部材５０の切欠き部５０ｂと、底板４６の側板部４４ｂの、コの字状を構成する内側面との間にそれぞれ隙間が形成されていたが、これらの間に隙間が形成されずに、互いに対向する各部材の各面が直接接触するようになっていてもよい。
【００９５】
また、前記第１の実施の形態における補強部材５０は、その側面に、略矩形状に入り込んだ切欠き部５０ｂが１つ形成されていたが、フロアパネルの側辺部に、略矩形状に入り込んだ開口部が複数形成されている場合には、補強部材にも複数の切欠き部が形成されていてもよい。
【００９６】
また、前記第１の実施の形態に係るフロアパネル４０は、天板４４と底板４６の互いの周縁部４４ｄ，４６ｄ同士を折り曲げて畳むことにより結合されていたが、天板４４の外周部の段差部４４ａ，４４ｅの下方に内部空間４８ａ，４８ｂを形成して補強部材５０を設置することができるようになっていれば、溶接やカシメ等の別の方法により接合されていてもよい。
【００９７】
また、図１１においては、説明の便宜上、１つの支持脚４が３枚のフロアパネル２それぞれの隅部を支持する場合について示してあるが、１つの支持脚４は４枚のフロアパネル２の隅部を支持することができると共に、それが本来の支持脚４の使い方であることはいうまでもなく、本実施の形態に係るフロアパネル４０についても同様である。
【符号の説明】
【００９８】
１  フリーアクセスフロア構造
２  フロアパネル
２ａ  開口部
３  基礎床面
４  支持脚
６  天板
６ａ  段差部
６ｂ  テーパ部
６ｃ  上面
６ｄ  周縁部
６ｅ  段差部
６ｆ  テーパ部
６ｈ  段差面
８  底板
８ａ  底板部
８ｂ  側板部
８ｃ  周縁部
１０  内部空間
１２  補強部材
１２ａ  隅面
１２ｂ  切欠き部
１４  パネル調整台
１４ａ  先端凹部
１４ｂ，１４ｃ，１４ｄ  ネジ孔
１５  ネジ部材
１６  脚部
１６ａ  オネジ部
１７  皿ボルト
１７ａ  皿頭部
１７ｂ  オネジ部
１８  蓋部材
４０  フロアパネル
４１  フリーアクセスフロア構造
４２  支持脚
４４  天板
４４ａ  段差部
４４ｂ  テーパ部
４４ｃ  上面
４４ｄ  周縁部
４４ｅ  段差部
４４ｆ  テーパ部
４４ｈ  段差面
４６  底板
４６ａ  底板部
４６ｂ  側板部
４６ｃ  底面
４６ｄ  周縁部
４８  内部空間
４８ａ，４８ｂ  第２の内部空間
５０  補強部材
５０ａ  隅面
５０ｂ  切欠き部
５０ｃ  段差部
５０ｄ  テーパ部
５０ｅ  段差部
５０ｆ  テーパ部
５６  パネル調整台
５６ａ  支持面
５６ｂ  ネジ孔
５８  脚部
５８ａ  オネジ部
６０  フロアパネル
６２  天板
６２ａ  段差部
６２ｂ  テーパ部
６２ｃ  上面
６２ｄ  周縁部
６２ｅ  天板部
６２ｆ  側板部
Ｓ  隙間
【図１】
2014227649.tif 000003
【図２】
2014227649.tif 000004
【図３】
2014227649.tif 000005
【図４】
2014227649.tif 000006
【図５】
2014227649.tif 000007
【図６】
2014227649.tif 000008
【図７】
2014227649.tif 000009
【図８】
2014227649.tif 000010
【図９】
2014227649.tif 000011
【図１０】
2014227649.tif 000012
【図１１】
2014227649.tif 000013
【図１２】
2014227649.tif 000014
【図１３】
2014227649.tif 000015
【図１４】
2014227649.tif 000016
【図１５】
2014227649.tif 000017
【図１６】
2014227649.tif 000018